(57)【要約】【課題】水が風窓から吸い込まれることを防止すると共に、モータの焼損を防止する注水式電動工具を提供する。【解決手段】モータＭを収容したハウジング２，３から、モータの出力軸と平行に配置されて出力軸から回転伝達されるスピンドルを突出させて、出力軸に取り付けられてモータを冷却するファンＦと、スピンドルに取り付けられて被研磨材に研磨加工を可能にする円盤状工具２４と、を備え、ハウジングの後面に、ファンによる冷却用空気をハウジング内に導入する風窓を形成して、円盤状工具に注水可能な注水サンダ１であって、ハウジングに、隙間をおいて風窓を外側から覆うと共に、外側からハウジングの外周面の外側に回り込むように形成されて隙間をおいて外周面を覆うカバー部材３０を装着した。【選択図】図１
2014000617.tif 000002
【特許請求の範囲】
【請求項１】
モータを収容したハウジングから、前記モータの出力軸と平行に配置されて該出力軸から回転伝達されるスピンドルを突出させて、前記出力軸に取り付けられて前記モータを冷却するファンと、前記スピンドルに取り付けられて被研磨材に研磨加工を可能にする円盤状工具と、を備え、前記ハウジングの後面に、前記ファンによる冷却用空気を前記ハウジング内に導入する風窓を形成して、前記円盤状工具に注水可能な注水式電動工具であって、
前記ハウジングに、隙間をおいて前記風窓を外側から覆うと共に、該外側から前記ハウジングの外周面の外側に回り込むように形成されて隙間をおいて該外周面を覆うカバー部材を装着したことを特徴とする注水式電動工具。
【請求項２】
前記カバー部材を、前記ハウジングに着脱可能としたことを特徴とする請求項１に記載の注水式電動工具。
【請求項３】
前記カバー部材は、前記ハウジングの前記外周面に係止可能な係止手段を備えることを特徴とする請求項２に記載の注水式電動工具。
【請求項４】
前記カバー部材の内面と前記ハウジングの前記後面との間に弾性体を介在させたことを特徴とする請求項２又は３に記載の注水式電動工具。
【請求項５】
前記カバー部材の内面に、前記ハウジングの前記外周面に当接させるリブを形成したことを特徴とする請求項１ないし４のいずれかに記載の注水式電動工具。
【発明の詳細な説明】
【技術分野】
【０００１】
この発明は、モータを収容したハウジングから、前記モータの出力軸と平行に配置されて該出力軸から回転伝達されるスピンドルを突出させて、前記スピンドルに取り付けられて被研磨材に研磨加工を可能にする円盤状工具を備え、前記円盤状工具に注水可能な注水式電動工具に関する。
【背景技術】
【０００２】
例えば特許文献１には、モータを収容したハウジングから、モータの出力軸と平行に配置されて該出力軸から回転伝達されるスピンドルを突出させて、このスピンドルに、被研磨材に研磨加工を可能にする円盤状工具を取り付けると共に、前記スピンドル内に、被研磨材の研磨加工部に注水を行う注水路を形成した注水式電動工具が開示されている。この注水式電動工具では、モータを冷却するファンを前記出力軸に取り付けてハウジングに収容し、該ハウジングの後面に形成してハウジングの内部と外部と連通させる風窓から、前記ファンによる冷却用空気をハウジング内に導入することでモータの冷却がなされている。
【先行技術文献】
【特許文献】
【０００３】
【特許文献１】実公平５−１１９６０号公報
【発明の概要】
【発明が解決しようとする課題】
【０００４】
一般に作業者は、被研磨材の研磨加工中に上記の注水式電動工具を、ハウジングの後面で支えて被研磨材の上面に仮置きすることがある。このとき被研磨材の上面には、研磨加工中に注水式電動工具から注がれた水が残っていることから、モータを冷却するファンによって、前記後面に設けた風窓から冷却用空気と共に被研磨材の上面に残る水がハウジング内に吸い込まれるという不都合があった。
【０００５】
また研磨加工中は、作業者は円盤状工具を被研磨材に押し付けるために手でハウジングの後面を押さえるため、該後面に設けた風窓が手で塞がれることで、モータの冷却用空気が風窓からハウジング内に導入できないおそれがある。その結果、モータが焼損することも懸念されていた。
【０００６】
この発明は、このような状況に鑑み提案されたものであって、水が風窓から吸い込まれることを防止すると共に、モータの焼損を防止する注水式電動工具を提供することを目的とする。
【課題を解決するための手段】
【０００７】
請求項１の発明に係る注水式電動工具は、モータを収容したハウジングから、前記モータの出力軸と平行に配置されて該出力軸から回転伝達されるスピンドルを突出させて、前記出力軸に取り付けられて前記モータを冷却するファンと、前記スピンドルに取り付けられて被研磨材に研磨加工を可能にする円盤状工具と、を備え、前記ハウジングの後面に、前記ファンによる冷却用空気を前記ハウジング内に導入する風窓を形成して、前記円盤状工具に注水可能な注水式電動工具であって、前記ハウジングに、隙間をおいて前記風窓を外側から覆うと共に、該外側から前記ハウジングの外周面の外側に回り込むように形成されて隙間をおいて該外周面を覆うカバー部材を装着したことを特徴とする。
【０００８】
請求項２の発明は、請求項１において、前記カバー部材を、前記ハウジングに着脱可能としたことを特徴とする。
【０００９】
請求項３の発明は、請求項２において、前記カバー部材は、前記ハウジングの前記外周面に係止可能な係止手段を備えることを特徴とする。
【００１０】
請求項４の発明は、請求項２又は３において、前記カバー部材の内面と前記ハウジングの前記後面との間に弾性体を介在させたことを特徴とする。
【００１１】
請求項５の発明は、請求項１ないし４のいずれかにおいて、前記カバー部材の内面に、前記ハウジングの前記外周面に当接させるリブを形成したことを特徴とする。
【発明の効果】
【００１２】
請求項１の発明に係る注水式電動工具によれば、カバー部材によって、風窓を外側から覆うことで、水が風窓からハウジング内に吸い込まれることを防止できる。加えて、カバー部材の内面と風窓との間や前記内面とハウジングの外周面との間には隙間が確保できるため、この隙間を通じて、カバー部材の外部から風窓に、モータの冷却用空気を導くことができる。よって、ハウジングにカバー部材を装着した場合でも、ハウジング内にモータの冷却用空気を導入できるため、モータの焼損を防止できる。
請求項２の発明によれば、仮にカバー部材が破損した場合には、破損したカバー部材をハウジングから取り外して新しいカバー部材と容易に交換できる。
請求項３の発明によれば、カバー部材は、係止手段によってハウジングの外周面に係止させるだけで簡単にハウジングに装着できる。
請求項４の発明によれば、カバー部材の内面とハウジングの後面との間に介在させた弾性体で、カバー部材がハウジングに対してガタつくことを防止できる。
請求項５の発明によれば、カバー部材を、リブを介してハウジングの外周面に保持できる。さらに、カバー部材の内面におけるリブの形成部以外の部分とハウジングの外周面との間には隙間が確保されているため、この隙間によって、カバー部材の外部から風窓に至る通風路を確保できる。
【図面の簡単な説明】
【００１３】
【図１】本発明の実施形態の注水サンダの全体斜視図である。
【図２】カバー部材をモータハウジングから取り外した注水サンダの後面側斜視図である。
【図３】同モータハウジングと同カバー部材との分解斜視図である。
【図４】注水サンダを前方から見たときの同モータハウジングと同カバー部材との分解斜視図である。
【図５】同カバー部材の正面図である。
【図６】図５のＡ−Ａ線矢視図である。
【発明を実施するための形態】
【００１４】
以下、本発明の実施の形態を図面に基づいて説明する。
【００１５】
図１に示すように、注水サンダ１は、樹脂製で前後方向（図１の左右方向）に沿う筒状のモータハウジング２と、金属製でモータハウジング２の前方に連結されたギヤハウジング３と、モータハウジング２及びギヤハウジング３の下側に形成された樹脂製のループハンドル４とを備えている。この注水サンダ１は本発明の注水式電動工具の一例である。
ループハンドル４は、モータハウジング２の後方下部から下方へ突出させたハンドル後半部６と、ハンドル後半部６の下部からギヤハウジング３の前部にかけて渡された側面視Ｌ字状のハンドル前半部８とを有している。
ループハンドル４は、ハンドル後半部６を後部とし、ハンドル前半部８の前辺を前部とし、その下辺を下部とした状態で、モータハウジング２下側とギヤハウジング３下側とからループ状に突出している。
【００１６】
図１に示すモータハウジング２の内部にはモータＭが収容されており、このモータＭの出力軸の先端はギヤハウジング３内に突入している。モータＭは、電源コード１０からの給電により駆動し、そのスイッチ１１がハンドル後半部６において露出して設けられている。ギヤハウジング３内には、ベアリング（図示せず。）を介してスピンドル（図示せず。）が横向きに取り付けられている。このスピンドルはモータＭの出力軸と平行に配置されて、スピンドルには前記出力軸が噛合することで該出力軸の回転が伝達される。またスピンドルの前端は、ギヤハウジング３の前端からギヤハウジング３の前方へ突出している。このスピンドルの前端には、円盤状の研磨工具２４がスピンドルと直交状に取り付けられている。なお、研磨工具２４は本発明の円盤状工具の一例である。
【００１７】
一方、スピンドルの内部でスピンドルの軸方向には注水路が形成されている。この注水路には、注水用のピン２５（図１参照。）が該注水路と同軸で固定されている。このピン２５には注水ノズル孔２６が開口し、該注水ノズル孔２６は前記注水路と連通している。またハンドル前半部８の内部には、注水路に水を供給する配水管が配置されている。配水管の下側には流量を調整するバルブが設けられており、バルブの下側には水を通すホースの接続部２７（図１参照。）が接続されている。図１に示すように、接続部２７はハンドル前半部８の角部下側から露出している。
【００１８】
そして保護カバー２８（図１参照。）が、弾性体（合成ゴム）により成形されてハンドル前半部８とギヤハウジング３とに取り付けられている。保護カバー２８は、前側が開口する皿状に形成されて、研磨工具２４の後方側半分（図１の下側）をその後方から非接触で覆う。
【００１９】
図２に示すようにモータハウジング２の後面（図２の右側）には、モータＭの冷却用空気をモータハウジング２内に導入する風窓１５，１５・・が形成されている。図２ないし図４に示すようにモータハウジング２内の後部（図２ないし図４の右側）でモータＭを挟んだ左右の両側には、ブラシホルダ部１７がそれぞれ設けられている。各ブラシホルダ部１７は、モータＭの出力軸と直交する方向に延びる円筒状で、モータＭの整流子と摺接するブラシを保持している。各ブラシホルダ部１７の先端外周は、モータハウジング３の後部の左右の両側面と一体に形成されて該両側面からモータハウジング２の外側へ露出している。一方モータハウジング２の前部（図１ないし図４の左側）で該モータハウジング２の左右の両側面には、前記冷却用空気の排気口１６，１６・・が形成されている。各排気口１６は、モータハウジング２内でモータＭの出力軸に取り付けられたモータＭを冷却するファンＦの外側に位置する。
【００２０】
また図１，３，４に示すように、モータハウジング２の後部に樹脂製のカバー部材３０が着脱可能に装着される。カバー部材３０は、モータハウジング２よりも大径で前側（モータハウジング２側）を開口させた筒状の本体部３１と、本体部３１の左右の側面からモータハウジング２側へ延設された腕部３２，３２とを備えている。図３ないし図５に示すように本体部３１の内面には、該本体部３１の周方向に等間隔をおいてリブ３５が４つ形成されている。各リブ３５は、本体部３１の前側開口と連続し本体部３１の内周面から本体部３１の後面（図３及び図４の右側）の内面側まで延びて、前記内周面及び前記後面から本体部３１の内側に向けて突設されている。各リブ３５は、後述するようにモータハウジング２の外周面と後面とに当接可能とされている。
【００２１】
加えて図３ないし図６に示すように本体部３１の後面の内面側には、本体部３１の周方向でリブ３５，３５同士の間に、本体部３１の前側へ延びる円筒状の突部３６が４つ形成されている。図６に示すように各突部３６には筒孔３７がそれぞれ設けられている。図３ないし図５に示すように、各筒孔３７には、ラバーピン３８が筒孔３７から突出した状態で挿着されている。各ラバーピン３８は、後述するようにカバー部材３０をモータハウジング２に装着したときは、カバー部材３０の内面（本体部３１の後面の内面側）とモータハウジング２の後面との間に介在する。
【００２２】
さらに図３ないし図６に示すように各腕部３２の延設端部には、係止爪３９が、腕部３２の内側に向けてそれぞれ突設されている。図１及び図４に示すように係止爪３９，３９は、モータハウジング２の左右の両側面から露出したブラシホルダ部１７，１７の先端外周に係止するために用いられる。なお、各係止爪３９は本発明の係止手段の一例である。
【００２３】
カバー部材３０は、以下の要領でモータハウジング２の後部に着脱できる。作業者は、カバー部材３０の本体部３１の前側開口をモータハウジング２の後面に近づけることで、モータハウジング２を前記前側開口から本体部３１内に挿入する。その後、各ラバーピン３８（図４参照。）をモータハウジング２の後面に当接させ、各リブ３５（図４及び図５参照。）を、前記後面と該後面よりも前方に位置するモータハウジング２の外周面にそれぞれ当接させる。この状態で各腕部３２を弾性変形させることで、図１に示すように係止爪３９，３９を、ブラシホルダ部１７，１７の先端外周に係止させる。これによりカバー部材３０は、本体部３１の後面の内面側とモータハウジング２の後面との間に各ラバーピン３８を介在させ、各リブ３５を介してモータハウジング２の外周面と後面とに保持される。カバー部材３０は、各ラバーピン３８によってモータハウジング２の後面に支持されるため、モータハウジング２に対してガタつくことが防止される。このようにしてカバー部材３０はモータハウジング２の後部に装着される。なお、各ラバーピン３８は本発明の弾性体の一例である。
【００２４】
本体部３１はモータハウジング２よりも大径で前側を開口させた筒状であることから、カバー部材３０をモータハウジング２の後部に装着すると、本体部３１の内面における各リブ３５や各ラバーピン３８が形成された部分（形成部）以外の部分では、本体部３１によって、風窓１５，１５・・（図２参照。）を外側から非接触で覆うと共に、モータハウジング２の外周面を非接触で覆うことができる。このとき、本体部３１は、風窓１５，１５・・の外側からモータハウジング２の外周面の外側に回り込んでいる。このようにすることで、前記形成部以外の部分では、本体部３１の内面とモータハウジング２の外周面との間に隙間が確保されると共に、本体部３１の内面とモータハウジング３の後面との間に隙間が確保される。これらの隙間によって、本体部３１の外部から該本体部３１の前側開口を通じて風窓１５，１５・・に至る通風路を確保できる。
【００２５】
また、カバー部材３０をモータハウジング２の後部から外す場合には、各腕部３２を弾性変形させてブラシホルダ部１７，１７の先端外周に対する係止爪３９，３９の係止を解除して、カバー部材３０をモータハウジング２の後部から離すだけでよい。よって、モータハウジング２へのカバー部材３０の着脱が容易である。
【００２６】
このような注水サンダ１では、電源コード１０を電源に接続してループハンドル４のスイッチ１１を入れると、モータＭの駆動に伴ってスピンドルが回転することで、これに取り付けられた研磨工具２４が回転する。加えてモータＭの駆動に伴ってファンＦが回転すると、モータＭの冷却用空気が、カバー部材３０の本体部３１の外部から、該本体部３１の内面とモータハウジング２の外周面や後面との間の隙間（通風路）を流通して風窓１５，１５・・に導かれる。風窓１５，１５・・からモータハウジング２内に吸い込まれた冷却用空気は、モータＭを冷却した後に排気口１６，１６・・から排出される。作業者は、スピンドルを被研磨材の水平面と直交する状態に保ちつつ、手で本体部３１の後面を押さえて回転する研磨工具２４を前記水平面に当てながら移動させることで、該水平面に研磨加工を施す。研磨加工中は、接続部２７（図１参照。）に接続されたホースから供給された水が、研磨工具２４や研磨加工部に注がれる。本実施形態では、研磨加工中に作業者の手で本体部３１が押さえられていても、本体部３１の内面と風窓１５，１５・・との間に隙間があることで風窓１５，１５・・が塞がれることがない。
【００２７】
また研磨加工中に作業者は、水が残る被研磨材の水平面上にモータハウジング２の後面側を支持させることで、注水サンダ１を前記水平面上に仮置きすることがある。この場合でも注水サンダ１を、隙間をおいて風窓１５，１５・・を外側から覆ったカバー部材３０で前記水平面上に支持することで、該水平面上に残る水がファンＦの吸引風によって風窓１５，１５・・に向かうことが妨げられる。よって、水が風窓１５，１５・・からモータハウジング２内に吸い込まれることを防止できる。加えて本実施形態では、注水サンダ１を被研磨材の水平面上に仮置きしたときに、前記通風路の入口（本体部３１の前側開口）を前記水平面上から上方側へ離すことができる。このようなことからも、前記水平面上の水が通風路に入り込むことを抑制できる。
【００２８】
その他にも、カバー部材３０はモータハウジング２に着脱可能であることから、仮にカバー部材３０が傷付く等して破損した場合には、破損したカバー部材３０をモータハウジング２から取り外して新しいカバー部材３０に容易に交換できる。
【００２９】
＜本実施形態の効果＞
本実施形態では例えば研磨加工中に注水サンダ１を被研磨材の水平面上に仮置きした場合でも、カバー部材３０（本体部３１）によって、風窓１５，１５・・を外側から覆うことで、注水サンダ１によって前記水平面上に注がれた水が、風窓１５，１５・・からモータハウジング２内に吸い込まれることを防止できる。加えて、カバー部材３０の内面と風窓１５，１５・・との間や、前記内面とモータハウジング２の外周面との間に隙間が確保できる。このため、カバー部材３０の外部から前記隙間を通じて風窓１５，１５・・に、モータＭの冷却用空気を導くことができる。よって、モータハウジング２にカバー部材３０を装着した場合でも、モータハウジング２内に前記冷却用空気を導入できるため、モータＭの焼損を防止できる。
【００３０】
また、仮にカバー部材３０が破損した場合には、破損したカバー部材３０をモータハウジング２から取り外して新しいカバー部材３０に容易に交換できる。
【００３１】
さらに、カバー部材３０の係止爪３９，３９を、モータハウジング２の左右の両側面から露出したブラシホルダ部１７，１７の先端外周に係止するだけで、カバー部材３０を簡単にモータハウジング２に装着できる。
【００３２】
加えてカバー部材３０は、本体部３１の後面の内面側とモータハウジング２の後面との間に介在させた各ラバーピン３８で、モータハウジング２の後面に支持される。これにより、カバー部材３０がモータハウジング２に対してガタつくことを防止できる。
【００３３】
さらに加えて、カバー部材３０を、４つのリブ３５を介してモータハウジング２の外周面に保持できる。これに加えて、カバー部材３０（本体部３１）の内面における各リブ３５の形成部以外の部分とモータハウジング２の外周面との間に隙間を確保できる。このため、前記隙間によって、本体部３１の外部から風窓１５，１５・・に至る通風路を確保できる。
【００３４】
本発明は、上述した実施形態に限定されるものではなく、発明の趣旨を逸脱しない範囲内において構成の一部を適宜変更して実施できる。例えば上述した実施形態ではカバー部材３０をモータハウジング２に着脱可能としたが、これとは異なり、カバー部材をモータハウジングと一体に形成してもよい。また上述した実施形態では、カバー部材３０をモータハウジング２に装着するために、カバー部材３０の係止爪３９，３９をモータハウジング２におけるブラシホルダ部１７，１７の先端外周に係止するようにしたが、これに限らない。例えばモータハウジングの左右の両側面に設けられた係止爪と、カバー部材に設けられて該係止爪が嵌まる係止溝とによって、該カバー部材をモータハウジングに装着してもよい。さらに上述した実施形態とは異なり、モータハウジング２及びギヤハウジング３を単一のハウジングで形成してもよい。
【００３５】
また上述した実施形態では、本発明を交流駆動式の注水サンダに適用する例を示したが、これに限らず本発明を、充電式の注水サンダや、注水機構を備えた交流駆動式又は充電式のポリッシャ等の注水式電動工具に適用してもよい。
【符号の説明】
【００３６】
１・・注水サンダ、２・・モータハウジング、３・・ギヤハウジング、１５・・風窓、２４・・研磨工具、３０・・カバー部材、３５・・リブ、３８・・ラバーピン、３９・・係止爪、Ｆ・・ファン、Ｍ・・モータ。
【図１】
2014000617.tif 000003
【図２】
2014000617.tif 000004
【図３】
2014000617.tif 000005
【図４】
2014000617.tif 000006
【図５】
2014000617.tif 000007
【図６】
2014000617.tif 000008